(57)【要約】【課題】  一度の掃除で大きな面積を水あかや糸くずなどを残さず、掃除できるようにしたぞうきんを提供すること。【解決手段】  本発明のぞうきんでは、毛髪の約１／１００程度の微細で長さの長い繊維から成る織物に、前記微細で長さの長い繊維の毛細管現象によって液体を吸水させて包装体２で密封している。このため、包装体２を外して使用すれば、毛細管現象で多量の液体を含んでいるため、大きな面積を一度に拭き掃除することができる。また、極微細な繊維の毛細管現象により吸水性が格段に大きいので、多量の液体を含ませても床がベトベトになることがなく、床に付着した水分を強力に吸い上げるため、掃除の後に水あかが残らない。また、極微細な繊維の先端が汚れなどの下に潜り込んで剥ぎ取るので、微細な汚れがとれ、掃除効果が格段に向上する。【選択図】        図１
2005296527.tif 000002
【特許請求の範囲】
【請求項１】
毛髪の約１／１００程度の微細で長さの長い繊維から成る織物に、前記微細で長さの長い繊維の毛細管現象によって液体を吸水させて包装体で密封したことを特徴とするぞうきん。
【請求項２】
前記液体が竹エキス成分を含む請求項１記載のぞうきん。
【発明の詳細な説明】
【技術分野】
【０００１】
本発明はごみや汚れを拭き取るためのぞうきんに関する。
【背景技術】
【０００２】
従来より、柄つきのクリーナーの取付け板の下面に、ぞうきんを取付け、人が柄を持って床などの拭き掃除をすることが行なわれている。
【０００３】
この拭き掃除は、ほこりや汚れをとるためには、ぞうきんを水で濡らして取付けている。
【０００４】
従来、このような用途のぞうきんとしては、紙製ぞうきん、不織布製ぞうきん、布製ぞうきん、綿製ぞうきんなどが用いられている。
【発明の開示】
【発明が解決しようとする課題】
【０００５】
しかしながら、紙製ぞうきんや不織布製ぞうきんでは、水分を多量に吸収できないため、少しの面積を拭き掃除しただけでぞうきんが乾いてしまい、一度に広い面積の掃除ができなかった。
【０００６】
このため、ぞうきんをたっぷり水で湿らせると、床がベトベトに濡れてしまい、拭き掃除の後に水あかが残るという不都合があった。
【０００７】
また、布製ぞうきん、綿製ぞうきんでは、紙製ぞうきんや不織布製ぞうきんに比較すれば水分を多く含むことができるが、繊維が短いため、拭き掃除の後に糸くずが残るという不都合があった。
本発明はこのような問題を解決したぞうきんを提供することを目的としている。
【課題を解決するための手段】
【０００８】
前記目的を達成するために、本発明の請求項１のぞうきんは、毛髪の約１／１００程度の微細で長さの長い繊維から成る織物に、前記微細で長さの長い繊維の毛細管現象によって液体を吸水させて包装体で密封したことを特徴としている。
【０００９】
また、本発明の請求項２のぞうきんは、竹エキス成分を含む液体を吸水させたことを特徴としている。
【発明の効果】
【００１０】
このように本発明の請求項１のぞうきんでは、毛髪の約１／１００程度の微細で長さの長い繊維から成る織物に、前記微細で長さの長い繊維の毛細管現象によって液体を吸水させて包装体で密封しているため、包装体を外して使用すれば、毛細管現象で多量の液体を含んでいるため、大きな面積を一度に拭き掃除することができる。
【００１１】
また、極微細な繊維の毛細管現象により吸水性が格段に大きいので、多量の液体を含ませても床がベトベトになることがなく、床に付着した水分を強力に吸い上げるため、掃除の後に水あかが残らない。
【００１２】
また、極微細な繊維の先端が汚れなどの下に潜り込んで剥ぎ取るので、微細な汚れがとれ、掃除効果が格段に向上する。
【００１３】
また、本発明の請求項２のぞうきんでは、竹エキス成分を含んだ液体を吸収しているので、竹エキスの殺菌作用、消臭作用によって格段の掃除効果が得られる。
【００１４】
また、竹エキスの光沢作用によって例えばフローリングの床に光沢が得られる。
【発明を実施するための最良の形態】
【００１５】
以下、図面に基づいて本発明の実施の形態を説明する。
【００１６】
図１、図２は本発明の一実施形態を示している。
図中、１は包装体であって、この包装体１の内部にぞうきん材２が密封されている。
【００１７】
ぞうきん材２は毛髪の約１／１００程度の微細で長さの長い繊維から成る織物で構成されている。
【００１８】
例えば図３に示すようにポリエステル３とナイロン４が交互に花弁状に配列された中空状の複合繊維（毛髪の約１／６位の太さ）に化学処理を加えてナイロンを収縮させると、ポリエステルとナイロンが剥離分割されて、単糸の太さが毛髪の約１／１００で、断面が偏平で鋭いエッジ形状をした多数の超極細の単糸に分割される。
【００１９】
ぞうきん材２は、この毛髪の約１／１００位の太さの超極細繊維から成る織物であるため、超極細繊維によって構成される大きな表面積と、無数の空間を有するため、毛細管現象によって多数の水分が高速度で吸収される特性を持つ。
【００２０】
このぞんきん材２に多量の液体を吸収させる。強い毛細管現象のため多量の液体を含ませても、滴となって落下することがないため、多量に液体を含ませることが可能である。
【００２１】
液体としては、水、洗剤溶液などを必要に応じて吸収させればよい。
【００２２】
なお、竹エキス成分を水と共に吸収させれば、竹エキスの持つ殺菌作用、消臭作用が発揮される。
【００２３】
このように多量の液体を含ませたぞうきん材２を例えば２つ折りにして、ビニールなどの包装材で表裏を挟み、ぞうきん材２を囲む４辺を熱接着させて包装体１で密封された状態にする。
【００２４】
これによって、ぞうきん材２に含まれた液体は蒸発などで減少しないから、この密封状態で、業者が販売に供したり、あるいは家庭に配達することができる。
【００２５】
図４は、矩形板状の取付け板５の中央に柄６の下端部が任意方向に回動自在に取付けられた床拭き用具を示している。
【００２６】
取付け板５の上面の四隅には、切込みのある弾性板から成る着脱部７が設けられている。
【００２７】
従って、包装体１を開封してぞうきん材２を取り出し、ぞうきん材２の上に取付け板５を乗せ、ぞうきん材２の取付け板５からはみ出した外周部を折返して、指で四隅の着脱部７内に押し込んでぞうきん材２を取付ける。そして、柄６を手に持って床の拭き掃除を行なう。
【００２８】
ぞうきん材２は毛細管現象で多量の液体を含んでいるため、大きな面積を一度に拭き掃除することができ、また、極微細な繊維の毛細管現象により吸水性が格段に大きいので、多量の液体を含ませても床がベトベトになることがなく、床に付着した水分を強力に吸い上げるため、掃除の後に水あかが残らない。
【００２９】
また、極微細な繊維の先端が汚れなどの下に潜り込んで剥ぎ取るので、微細な汚れがとれ、掃除効果が格段に向上する。
【００３０】
また、竹エキスを含んだ液体を吸収させたぞうきん材２を用いれば、竹エキスの殺菌作用、消臭作用によって格段の掃除効果が得られ、また、竹エキスの光沢作用によって例えばフローリングの床に光沢が得られる。
【００３１】
なお、このぞうきん材２は、超極細繊維によって構成される大きな表面積と、無数の空間を有するため、毛細管現象によって多数の水分が高速度で吸収されるから、汚れやごみ、ほこりが毛細管現象によって超極細繊維の表面に吸着され、且つ無数の空間内に液体と共に取り込まれるから、掃除効果は格段に向上するが、逆に、このため、汚れなどを吸い込んだぞうきん材２から汚れなどを除去しにくい。
【００３２】
このため、使用済みのこのぞうきん材２を専門のクリーニング業者などが回収してぞうきん材２を洗って元のきれいな状態にし、再び液体を含ませて包装体１で密封して、宅配する循環サービスに供することができる。
【００３３】
なお、以上の説明では柄付きの床拭き用具に取付けて使用する例を説明したが、手に持って拭き掃除してもよいことは勿論である。
【図面の簡単な説明】
【００３４】
【図１】本発明の一実施形態を示す平面図
【図２】図１におけるＡ−Ａ断面図
【図３】繊維の説明図
【図４】使用例を示す斜視図
【符号の説明】
【００３５】
１  包装体
２  ぞうきん材
５  取付け板
【図１】
2005296527.tif 000003
【図２】
2005296527.tif 000004
【図３】
2005296527.tif 000005
【図４】
2005296527.tif 000006